(57)【要約】【課題】水道設備が使用できないような場所、或いは災害等の非常時に使用するための使い捨て専用の衛生ペーパーを提供すること。【解決手段】液体を吸収する材質からなるペーパー本体と、ペーパー本体の略中心部に重ねて設置する液体充填部からなり、液体充填部はペーパー本体と接する液体透過層と、ペーパー本体と外周部のみを固着させた液体不透過層を備えており、液体充填部の内部に液体が充填されていることを特徴とする衛生ペーパーとした。【選択図】図１
2018099415.tif 000002
【特許請求の範囲】
【請求項１】
水道が使用できないような場所、及び非常時に使用するための使い捨て用の衛生ペーパーであって、
液体を吸収する材質からなるペーパー本体と、
前記ペーパー本体の略中心部に重ねて設置する液体充填部からなり、
前記液体充填部は前記ペーパー本体と接する液体透過層と、前記ペーパー本体と外周部のみを固着させた液体不透過層を備えており、
前記液体充填部の内部に液体が充填されていることを特徴とする衛生ペーパー。
【請求項２】
前記液体透過層は前記液体不透過層と同じ素材で構成されており厚さが前記液体不透過層の１／３以下であることを特徴とする請求項１に記載の衛生ペーパー。
【請求項３】
前記液体透過層は０．１ｍｍ〜０．５ｍｍの複数の切り込み部が穿設されていることを特徴とする請求項１に記載の衛生ペーパー。
【発明の詳細な説明】
【技術分野】
【０００１】
本発明は、水道設備が完備されていないような場所、或いは災害等の非常時に使用するための使い捨て専用の衛生ペーパーに関する。さらに言えば、ウォシュレット（登録商標）で洗浄した場合の感覚に近い洗浄効果を発揮することができる使い捨て専用の衛生ペーパーに関する。
【背景技術】
【０００２】
排便後に肛門付近を通常のトイレットペーパーで拭くと、水分は拭き取れるが汚れは拭き取りきれないと言われている。無理矢理トイレットペーパー等で擦ると肛門周辺の粘膜等を傷つけてしまうことになるし、便にはインドール、スカトール等の化学物質が含まれており、これらが肛門周辺に多く残っていると炎症を起こすこともある。かかる不都合を無くす対策として排便後の肛門周辺を洗浄する機能を備えたウォシュレット（登録商標）付きトイレが普及している。ところが、災害等の非常時においては、断水等により水道設備が破壊されてしまいウォシュレット（登録商標）が使え無い状態になってしまうし、ウォシュレット（登録商標）自体が設置されていないトイレも少なからず存在する。
【０００３】
現状において、非常時等に使用できそうなものとしてウェットティッシュ等が考えられるが、ウォシュレット（登録商標）付きトイレとの比較において、絶対的な含水量が足りないことが否めないし、何より、水が滴ることが無いので、ウォシュレット（登録商標）付きトイレを使用した時との比較において、使用者の満足感が得られ難いものと考えられる。要するにウォシュレット（登録商標）付きトイレのように水を噴射して洗い流すのに近い感触と洗浄効果を得られないという問題があった。
【０００４】
特許文献１には、痔等による出血（女性の生理時の出血）を、綺麗に拭う目的で開発された発明であって、「前以て湿して置くのでは無く、その場でドライペーパーを霧吹き器で以て湿してウェットペーパーとして使用できるように、手動式あるいは電動式の霧吹き器を設置した、ウエットペーパートイレット（引用文献１：請求項１そのまま）。」が開示されている。即ち、トイレットペーパーを、霧吹き器等を使用する等して予め水で湿した状態で使用できるようにすることで、痔等による出血（女性の生理時の出血）を、綺麗に拭うことができる発明が開示されている。
【先行技術文献】
【特許文献】
【０００５】
【特許文献１】特開２００６−０００５８３号公報
【発明の概要】
【発明が解決しようとする課題】
【０００６】
特許文献１に係る発明は、用を足す毎にその場でトイレットペーパーを、霧吹き器等で湿らせて使用するという発明であるので、トイレの中に手動式あるいは電動式の霧吹き器等の水を噴霧する装置を設置しなくてはならない。従って、コストも掛かるし、電動式の霧吹き器等の設置の手間も掛かるし色々と不都合であった。かかる事情を鑑みて出願人らは鋭意研究開発を進め、トイレットペーパー自体を使用時のみ含水状態にする機能を有する本発明に至ったのである。
【０００７】
本発明の目的は、水道設備が使用できないような場所、或いは災害等の非常時に使用するための使い捨て専用の衛生ペーパーを提供することにある。
【課題を解決するための手段】
【０００８】
上記課題を解決するために、請求項１に記載された発明は、水道が使用できないような場所、及び非常時に使用するための使い捨て用の衛生ペーパーであって、液体を吸収する材質からなるペーパー本体と、前記ペーパー本体の略中心部に重ねて設置する液体充填部からなり、前記液体充填部は前記ペーパー本体と接する液体透過層と、前記ペーパー本体と外周部のみを固着させた液体不透過層を備えており、前記液体充填部の内部に液体が充填されていることを特徴とする衛生ペーパーであることを特徴とするものである。
【０００９】
請求項２に記載された発明は、請求項１において、前記液体透過層は前記液体不透過層と同じ素材で構成されており厚さが前記液体不透過層の１／３以下である衛生ペーパーであることを特徴とするものである。
【００１０】
請求項３に記載された発明は、請求項１または請求項２において、前記液体透過層には長さ０．１ｍｍ〜０．５ｍｍの複数の切り込み部が穿設されている衛生ペーパーであることを特徴とするものである。
【発明の効果】
【００１１】
本発明に係る衛生ペーパーは、水道が使用できないような場所、及び非常時に使用するための使い捨て用の衛生ペーパーである。液体を吸収する材質からなるペーパー本体と、ペーパー本体の略中心部に重ねて設置する液体保存部から構成されている。液体保存部はペーパー本体と接する位置にある液体透過層と、ペーパー本体と外周部のみを固着させた液体不透過層を備えている。そして、液体保存部の内部に洗浄用の液体（主に水）が充填されている。
【００１２】
本発明に係る衛生ペーパーの液体透過層は、液体不透過層と同じ素材で構成されておりしかも厚さが液体不透過層の１／３以下であるので、その分、液体不透過層よりも耐圧的な強度が小さくなっている。従って、使用時に液体保存部を押さえつける圧力により、内部に充填された洗浄用の液体（主に水）の内部からの圧力が上がり、液体保存部がこの圧力に耐えられなくなった場合、密閉された容器内の圧力は一定であるというパスカルの原理により、より圧力に耐えられない側である液体透過層の最も耐圧強度の小さい箇所が破断することによって洗浄用の液体（主に水）が漏れ出てきて、ペーパー本体に滲み出てくることになる。
【００１３】
さらに、本発明に係る衛生ペーパーの液体透過層には長さ0.1ｍｍ〜0.5mmの複数の切り込み部が穿設されているので、より少ない圧力であっても液体保存部の液体透過層の切り欠き部が破水の発生源となって、液体保存部から洗浄用の液体（主に水）が漏れ出てきて、ペーパー本体に滲み出てくることになる。このように液体（水）がペーパー本体に滲み出てくるのでトイレで用を足した後において、要するにウォシュレット（登録商標）のような水を噴射して洗い流すのに近い感触、及び洗浄効果を得ることができるようになった。
【図面の簡単な説明】
【００１４】
【図１】本発明に係る衛生ペーパーの全体図である。
【図２】本発明に係る衛生ペーパーの使用方法を説明するための図である。
【発明を実施するための形態】
【００１５】
＜溶解炉用安全柵の構造＞
以下、本発明に係る衛生ペーパーの一実施形態について、図１〜図２に基づいて詳細に説明する。図１は、本発明に係る衛生ペーパーの全体図である。図１（ａ）は下面から見た全面図であり、図１（ｂ）は側面から見た全体断面図である。
【００１６】
図１に記載したように、本発明に係る衛生ペーパー１０は、液体を吸収する材質からなるペーパー本体２０と、ペーパー本体２０の略中心部に重ねて設置する液体充填部３０から構成されている。液体充填部３０は液体透過層４０と液体不透過層５０から構成されている。液体透過層４０は、ペーパー本体２０と接する位置にあり、液体不透過層５０は、ペーパー本体２０と外周部のみを固着させた状態になっている。液体充填部３０の内部には洗浄用の液体（主に水）が充填されている。
【００１７】
液体透過層４０は液体不透過層５０と同じ素材で構成されており、その厚さが液体不透過層５０の１／３以下になっている。さらに、液体透過層４０には長さ０．１ｍｍ〜０．５ｍｍの複数の切り込み部６０を穿設してあっても良い。液体透過層４０、液体不透過層５０はフィルム状の材料により構成されており、フィルムを構成する素材としては、ポリエチレンフィルム、アイオノマーフィルム、ポリプロピレンフィルム、セロファン、ナイロンフィルム、ポリスチレンフィルム等が用いられるがこれらに限定されることは無い。
【００１８】
＜衛生ペーパーの使用方法＞
図２は、本発明に係る衛生ペーパー１０の使用方法を説明するための図である。図２（ａ）は、上面から見た全体図であり、図２（ｂ）は、側面から見た図である。図２に記載したように、トイレでの排便後、本発明に係る衛生ペーパー１０を使用する際は手で持って肛門付近に押し当てる。この時、液体充填部３０は、液体充填部３０が肛門付近と手との間に入り、押さえつけることによる圧力により、液体充填部３０に充填された洗浄用の液体（主に水）の内圧が上がる。液体保存部３０がこの内圧に耐えられなくなった場合、密閉された容器内の圧力は一定であるというパスカルの原理により、より圧力に耐えられない側である液体透過層４０の最も耐圧強度の小さい箇所が破断することによって洗浄用の液体（主に水）が漏れ出てきて、ペーパー本体２０の略中心部分から周辺に滲み出てくることになる。
【００１９】
洗浄用の液体（主に水）が液体充填部３０から漏れ出てきて、ペーパー本体２０の略中心部分から周辺に水が滲み出てきたら、肛門付近を滲み出た水によって水分を多く含んだペーパー本体２０の部分で汚れた部分を流すようにして拭いてから、ぺーパー本体２０の水が滲み出ていない部分を使用して汚れた部分が完全に残らないように肛門周辺全体を拭き取る。
＜衛生ペーパーの効果＞
【００２０】
本発明に係る衛生ペーパー１０は、水道が使用できないような場所、及び非常時に使用するための使い捨て用の衛生ペーパー１０である。液体を吸収する材質からなるペーパー本体２０と、ペーパー本体２０の略中心部に重ねて設置する液体保存部３０から構成されている。液体保存部３０はペーパー本体２０と接する位置にある液体透過層４０と、ペーパー本体２０と、内部に充填した洗浄用の液体が漏れないように外周部を、ペーパー本体２０に固着させた液体不透過層４０を備えている。そして、液体保存部３０の内部に洗浄用の液体（主に水）が充填されている。この時パスカルの原理より、流体が密閉容器の中に入れられていて、各分子が静止している場合、あらゆる地点の圧力は等しくなると言われている。即ち、洗浄用の液体（主に水）が充填された液体保存部３０のあらゆる地点の圧力は等しくなっている。
【００２１】
本発明に係る衛生ペーパー１０の液体透過層３０は、液体不透過層４０と同じ素材で構成されておりしかも厚さが液体不透過層４０の１／３以下であるため、その分、液体不透過層４０よりも耐圧的な強度が小さくなっている。従って、使用時に液体保存部３０を押さえつける圧力により、内部に充填された洗浄用の液体（主に水）の内部からの圧力が上がり、液体保存部３０がこの圧力に耐えられなくなった場合、密閉された容器内の圧力は一定であるというパスカルの原理により、より圧力に耐えられない側である液体透過層４０の最も耐圧強度の小さい箇所が破断することによって洗浄用の液体（主に水）が漏れ出てきて、ペーパー本体に滲み出てくることになる。
【００２２】
さらに、本発明に係る衛生ペーパーの液体透過層３０には長さ０．１ｍｍ〜０．５ｍｍの複数の切り込み部６０が穿設されているので、より少ない圧力であっても液体保存部３０の液体透過層４０の切り欠き部６０が破水の起点となって、液体保存部３０から洗浄用の液体（主に水）が漏れ出てきて、ペーパー本体２０に滲み出てくることになる。このように液体（水）がペーパー本体に滲み出てくるのでトイレで用を足した後において、要するにウォシュレット（登録商標）のような水を噴射して洗い流すのに近い感触、及び洗浄効果を得ることができるようになった。
【００２３】
＜衛生ペーパーの変更例＞
本発明に係る衛生ペーパーは、上記した各実施形態の態様に何ら限定されるものではなく、ペーパー本体、液体充填部、液体透過層、液体不透過層、切り込み部等の構成を、本発明の趣旨を逸脱しない範囲で、必要に応じて適宜変更することができる。
【００２４】
例えば、液体透過層と液体不透過層のフィルムの素材を同じにするのでは無く、耐圧強度の大きいフィルムを液体不透過層に使用して、耐圧強度の小さいフィルムを液体透過層に使用することもできる。さらに、洗浄用の液体は主に水が充填されるが、水以外にもアルコール系の溶液等を使用しても良い。さらに、液体透過層と液体不透過層の間に極めて小さな（０．１ｍｍ以下）円周状に隙間を形成するようにして、使用時において圧力を加えた際にこの隙間から液体充填部に充填された液体が滲み出るような構成にしても良い。
【産業上の利用可能性】
【００２５】
本発明に係る衛生ペーパーは、上記の如く優れた効果を奏するものであるので、特に、非常時用製品の分野においてトイレ等で使用する衛生ペーパーとして好適に用いることができる。
【符号の説明】
【００２６】
１０・・衛生ペーパー
２０・・ペーパー本体
３０・・液体充填部
４０・・液体透過層
５０・・液体不透過層
６０・・切り込み部
【図１】
2018099415.tif 000003
【図２】
2018099415.tif 000004